(57)【要約】【課題】簡単な操作でかつ確実に所定の量の固形剤を計量して取り出すことができ、しかも、複雑な構成でなく、コストも低減可能な固形剤収容容器用キャップおよびこれを用いた固形剤収容容器を提供する。【解決手段】蓋部材を中栓部材に閉蓋した際には、蓋部材の当接片が、中栓部材の固形剤収容受け皿部に当接して下方に押圧して、弾性係止片の上方への付勢力に抗して、固形剤収容受け皿部を下方に移動させて、固形剤進入用開口部を、固形剤が通過可能な大きさに開口するようにし、蓋部材を中栓部材から開蓋した際には、蓋部材の当接片と固形剤収容受け皿部との当接が解除されて、弾性係止片の上方への付勢力によって、固形剤収容受け皿部を上方に元の状態に移動させて、固形剤進入用開口部を、固形剤が通過不能な大きさに開口するように構成した。【選択図】図４
2013091521.tif 000002
【特許請求の範囲】
【請求項１】
固形剤を収容した容器本体の口部に装着され、容器内に収容した固形剤を所定量ずつ取り出すための固形剤収容容器用キャップであって、
前記固形剤収容容器用キャップは、
前記容器本体に装着される中栓部材と、
前記中栓部材に開閉可能に装着される蓋部材とを備え、
前記中栓部材が、
前記中栓部材の上板部に形成され、固形剤を所定量ずつ取り出すための固形剤取り出し用開口部と、
前記固形剤取り出し用開口部の下方に位置し、所定量の固形剤を収容する収容空間を有する固形剤収容受け皿部と、
前記上板部の固形剤取り出し用開口部から下方に延設され、固形剤収容受け皿部に連結された弾性係止片と、
前記固形剤収容受け皿部と中栓部材の上板部との間に形成された固形剤進入用開口部とを備え、
前記蓋部材には、蓋部材の上板部から下方に延設された当接片が形成されており、
前記蓋部材を中栓部材に閉蓋した際には、蓋部材の当接片が、中栓部材の固形剤収容受け皿部に当接して下方に押圧して、弾性係止片の上方への付勢力に抗して、固形剤収容受け皿部を下方に移動させて、固形剤進入用開口部を、固形剤が通過可能な大きさに開口するようにし、
前記蓋部材を中栓部材から開蓋した際には、蓋部材の当接片と固形剤収容受け皿部との当接が解除されて、弾性係止片の上方への付勢力によって、固形剤収容受け皿部を上方に元の状態に移動させて、固形剤進入用開口部を、固形剤が通過不能な大きさに開口するように構成したことを特徴とする固形剤収容容器用キャップ。
【請求項２】
前記中栓部材が、固形剤収容受け皿部から上方に突設した突設片を備え、
前記蓋部材には、蓋部材の上板部から下方に延設され、中栓部材の突設片に対応して当接片が形成されており、
前記蓋部材を中栓部材に閉蓋した際には、蓋部材の当接片が、中栓部材の突設片に当接して下方に押圧して、弾性係止片の上方への付勢力に抗して、固形剤収容受け皿部を下方に移動させて、固形剤進入用開口部を、固形剤が通過可能な大きさに開口するようにし、
前記蓋部材を中栓部材から開蓋した際には、蓋部材の当接片と中栓部材の突設片との当接が解除されて、弾性係止片の上方への付勢力によって、固形剤収容受け皿部を上方に元の状態に移動させて、固形剤進入用開口部を、固形剤が通過不能な大きさに開口するように構成したことを特徴とする請求項１に記載の固形剤収容容器用キャップ。
【請求項３】
前記中栓部材の上板部の下方の固形剤取り出し用開口部の周囲には、固形剤を固形剤進入用開口部に案内する案内部材が付設されていることを特徴とする請求項１から２のいずれかに記載の固形剤収容容器用キャップ。
【請求項４】
前記案内部材が、固形剤取り出し用開口部の周囲に沿って、固形剤進入用開口部に対する傾斜角度αが漸次増大するテーパー案内面を有することを特徴とする請求項３に記載の固形剤収容容器用キャップ。
【請求項５】
前記案内部材が、固形剤取り出し用開口部の周囲に沿って形成された複数の所定間隔離間したリブから構成されていることを特徴とする請求項２から４のいずれかに記載の固形剤収容容器用キャップ。
【請求項６】
前記案内部材が、固形剤取り出し用開口部の周囲に沿って形成されたスロープ面を有するスロープ部材から構成されていることを特徴とする請求項２から４のいずれかに記載の固形剤収容容器用キャップ。
【請求項７】
前記中栓部材の弾性係止片が、固形剤収容受け皿部の中心に対して点対象の位置に２本形成されており、これらの２本の弾性係止片によって、２つの固形剤進入用開口部が形成されていることを特徴とする請求項２から６のいずれかに記載の固形剤収容容器用キャップ。
【請求項８】
前記２つの固形剤進入用開口部の一方に、固形剤進入阻止部材が形成されており、これにより、一方側の固形剤進入用開口部を介してのみ、固形剤が通過可能となるように構成されていることを特徴とする請求項２から７のいずれかに記載の固形剤収容容器用キャップ。
【請求項９】
前記固形剤収容受け皿部と、弾性係止片と、固形剤進入用開口部とが一体に形成された受け皿部材を備え、
前記受け皿部材が、前記固形剤取り出し用開口部に脱着自在に装着できるように構成されていることを特徴とする請求項１から８のいずれかに記載の固形剤収容容器用キャップ。
【請求項１０】
前記蓋部材が、中栓部材に対してヒンジを介して開閉可能に装着できるように構成されていることを特徴とする請求項１から９のいずれかに記載の固形剤収容容器用キャップ。
【請求項１１】
請求項１から１０のいずれかに記載の固形剤収容容器用キャップが装着された固形剤収容容器。
【発明の詳細な説明】
【技術分野】
【０００１】
本発明は、固形剤を収容した容器において、容器内に収容した固形剤を所定量ずつ取り出すための固形剤収容容器用キャップおよびこれを用いた固形剤収容容器に関する。
【背景技術】
【０００２】
従来、例えば、錠剤、カプセル剤などの薬品類、チョコレート、キャンディー、ガムなどの粒状の菓子類などの固形剤を収容した容器において、容器内に収容した固形剤を所定量ずつ取り出すことが求められる場合がある。
【０００３】
例えば、薬剤などの錠剤では、処方箋、服用方法などに基づいて、容器内に収容した固形剤を所定量ずつ計量して取り出すことが必要となる場合がある。
【０００４】
このため、特許文献１（特開平１１−１９３０５１号公報）には、一定量の錠剤を取り出すため錠剤収納容器が提案されている。
【０００５】
図４５に示したように、この特許文献１の錠剤収納容器１００は、容器本体１０２の口部１０４に装着されるキャップ本体１０６に、計量皿１０８を設けている。そして、計量皿１０８が設けられていない開口部１１０を、上下回動可能な邪魔板１１２を設けており、蓋部材１１４の下面に設けた係止棒１１６を設けている。
【０００６】
これにより、蓋部材１１４をキャップ本体１０６に対して開閉することによって、係止棒１１６が邪魔板１１２に対して当接、離反することによって、図４５の実線と点線で示した位置に邪魔板１１２が移動して、開口部１１０を開閉して、所定量の錠剤Tが、計量皿１０８に移動して計量、取り出しを行うことができるように構成されている。
【０００７】
また、特許文献２（特開平１１−１０５９４８号公報）には、単数の錠剤を取り出すため錠剤収納容器が提案されている。
【０００８】
図４６に示したように、この特許文献２の錠剤収納容器２００は、容器本体２０２の口部２０４に装着される保持筒２０６の下端に、第１の係合フランジ２０８を、保持筒２０６の上端部の内面に、第１の係合突条２１０をそれぞれ形成している。
【０００９】
そして、この保持筒２０６内に、昇降筒２１２を摺動可能に装着するとともに、昇降筒２１２の上端外面に、第２の係合フランジ２１４を突設している。この昇降筒２１２の傾斜した底面２１６に、単数の錠剤を落込み可能な凹部２１８を形成するとともに、昇降筒２１２の側面に錠剤通過用の開口部２２０を形成している。さらに、昇降筒２１２の上端内面には、第２の係合突条２２６が形成されている。
【００１０】
この昇降筒２１２の第２の係合フランジ２１４を、保持筒２０６の第１の係合フランジ２０８に係合させるとともに、蓋部材２２２の下面に形成した内周壁２２８の下端の突設部２３０を、昇降筒２１２の第２の係合突条２２６に係合させて、蓋部材２２２を昇降筒２１２に嵌合するように構成されている。
【００１１】
これにより、蓋部材２２２を装着した際には、図４６（Ａ）に示したように、昇降筒２１２が下方位置にあり、昇降筒２１２の側面の開口部２２０を介して、単数の錠剤Tが凹部２１８に落ち込むようになっている。
【００１２】
この状態で、図４６（Ｂ）に示したように、蓋部材２２２を取り外すことによって、昇降筒２１２が上昇して、昇降筒２１２の側面の開口部２２０が閉鎖されて、単数の錠剤Tを取り出すことができるように構成されている。
【先行技術文献】
【特許文献】
【００１３】
【特許文献１】特開平１１−１９３０５１号公報
【特許文献２】特開平１１−１０５９４８号公報
【発明の概要】
【発明が解決しようとする課題】
【００１４】
しかしながら、特許文献１に記載の従来の錠剤収納容器１００では、邪魔板１１２は上下に回動する構成であるので、所定量よりも多くの錠剤Tが、邪魔板１１２と開口部１１０の隙間から、計量皿１０８に進入するおそれがある。
【００１５】
また、この邪魔板１１２に錠剤Tが挟まってしまうことがあり、そのため、邪魔板１１２に挟まった錠剤Tが、容器を天地逆さまにして、計量皿１０８から取り出す際に、外部にこぼれ落ちる可能性がある。
【００１６】
一方、特許文献２に記載の従来の錠剤収納容器２００では、保持筒２０６内に、昇降筒２１２を摺動可能に装着するとともに、蓋部材２２２の内周壁２２８下端の突設部２２４、係合フランジ、係合突条などを形成するなど構成が複雑となり、コストが高くつくことになる。
【００１７】
また、昇降筒２１２の傾斜した底面２１６を錠剤が滑り落ちて、凹部２１８内に単数の錠剤Tがうまく落ち込まず、昇降筒２１２の側面の開口部２２０を介して、容器本体２０２内に落下してしまう場合がある。
【００１８】
いずれにしても、従来の錠剤収納容器では、確実に所定の量の錠剤を計量して取り出すことについてはまだまだ不十分であった。
【００１９】
本発明は、このような現状に鑑み、簡単な操作でかつ確実に所定の量の固形剤を計量して取り出すことができ、しかも、複雑な構成でなく、コストも低減可能な固形剤収容容器用キャップおよびこれを用いた固形剤収容容器を提供することを目的とする。
【課題を解決するための手段】
【００２０】
本発明は、前述したような従来技術における課題及び目的を達成するために発明されたものであって、本発明の固形剤収容容器用キャップは、
固形剤を収容した容器本体の口部に装着され、容器内に収容した固形剤を所定量ずつ取り出すための固形剤収容容器用キャップであって、
前記固形剤収容容器用キャップは、
前記容器本体に装着される中栓部材と、
前記中栓部材に開閉可能に装着される蓋部材とを備え、
前記中栓部材が、
前記中栓部材の上板部に形成され、固形剤を所定量ずつ取り出すための固形剤取り出し用開口部と、
前記固形剤取り出し用開口部の下方に位置し、所定量の固形剤を収容する収容空間を有する固形剤収容受け皿部と、
前記上板部の固形剤取り出し用開口部から下方に延設され、固形剤収容受け皿部に連結された弾性係止片と、
前記固形剤収容受け皿部と中栓部材の上板部との間に形成された固形剤進入用開口部とを備え、
前記蓋部材には、蓋部材の上板部から下方に延設された当接片が形成されており、
前記蓋部材を中栓部材に閉蓋した際には、蓋部材の当接片が、中栓部材の固形剤収容受け皿部に当接して下方に押圧して、弾性係止片の上方への付勢力に抗して、固形剤収容受け皿部を下方に移動させて、固形剤進入用開口部を、固形剤が通過可能な大きさに開口するようにし、
前記蓋部材を中栓部材から開蓋した際には、蓋部材の当接片と固形剤収容受け皿部との当接が解除されて、弾性係止片の上方への付勢力によって、固形剤収容受け皿部を上方に元の状態に移動させて、固形剤進入用開口部を、固形剤が通過不能な大きさに開口するように構成したことを特徴とする。
【００２１】
このように構成することによって、蓋部材を中栓部材に閉蓋するだけで、蓋部材の当接片が、中栓部材の固形剤収容受け皿部に当接して下方に押圧して、弾性係止片の上方への付勢力に抗して、固形剤収容受け皿部が下方に移動する。これにより、固形剤進入用開口部が、固形剤が通過可能な大きさに開口することになる。
【００２２】
従って、この状態で、例えば、固形剤収容容器を天地逆さまの状態にすることによって、錠剤などの固形剤が、固形剤進入用開口部を介して、固形剤収容受け皿部の収容空間内に進入することになる。
【００２３】
この状態で、固形剤収容容器を天地を元の状態に戻すことによって、固形剤収容受け皿部上に所定量の固形剤が収容（載置）され、余分に固形剤収容受け皿部の収容空間内に進入した固形剤は、固形剤進入用開口部を介して、容器本体内部に落下することになる。
【００２４】
そして、この状態で、蓋部材を中栓部材から開蓋すれば、蓋部材の当接片と固形剤収容受け皿部との当接が解除されて、弾性係止片の上方への付勢力によって、固形剤収容受け皿部が上方に元の状態に移動する。
【００２５】
これにより、固形剤進入用開口部が、固形剤が通過不能な大きさに開口するので、容器本体から固形剤が固形剤進入用開口部を介して、固形剤収容受け皿部の収容空間内に進入するのが阻止されて、例えば、固形剤収容容器を傾けるなどして、固形剤収容受け皿部上に収容（載置）された所定量の固形剤を、計量、取り出しすることができる。
【００２６】
従って、簡単な操作でかつ確実に所定の量の固形剤を計量して取り出すことができ、しかも、複雑な構成でなく、コストも低減可能な固形剤収容容器用キャップおよびこれを用いた固形剤収容容器を提供することができる。
【００２７】
また、本発明の固形剤収容容器用キャップは、
前記中栓部材が、固形剤収容受け皿部から上方に突設した突設片を備え、
前記蓋部材には、蓋部材の上板部から下方に延設され、中栓部材の突設片に対応して当接片が形成されており、
前記蓋部材を中栓部材に閉蓋した際には、蓋部材の当接片が、中栓部材の突設片に当接して下方に押圧して、弾性係止片の上方への付勢力に抗して、固形剤収容受け皿部を下方に移動させて、固形剤進入用開口部を、固形剤が通過可能な大きさに開口するようにし、
前記蓋部材を中栓部材から開蓋した際には、蓋部材の当接片と中栓部材の突設片との当接が解除されて、弾性係止片の上方への付勢力によって、固形剤収容受け皿部を上方に元の状態に移動させて、固形剤進入用開口部を、固形剤が通過不能な大きさに開口するように構成したことを特徴とする。
【００２８】
このように構成することによって、蓋部材を中栓部材に閉蓋するだけで、蓋部材の当接片が、中栓部材の突設片に当接して下方に押圧して、弾性係止片の上方への付勢力に抗して、固形剤収容受け皿部が下方に移動する。これにより、固形剤進入用開口部が、固形剤が通過可能な大きさに開口することになる。
【００２９】
従って、この状態で、例えば、固形剤収容容器を天地逆さまの状態にすることによって、錠剤などの固形剤が、固形剤進入用開口部を介して、固形剤収容受け皿部の収容空間内に進入することになる。
【００３０】
この状態で、固形剤収容容器を天地を元の状態に戻すことによって、固形剤収容受け皿部上に所定量の固形剤が収容（載置）され、余分に固形剤収容受け皿部の収容空間内に進入した固形剤は、固形剤進入用開口部を介して、容器本体内部に落下することになる。
【００３１】
そして、この状態で、蓋部材を中栓部材から開蓋すれば、蓋部材の当接片と中栓部材の突設片との当接が解除されて、弾性係止片の上方への付勢力によって、固形剤収容受け皿部が上方に元の状態に移動する。
【００３２】
これにより、固形剤進入用開口部が、固形剤が通過不能な大きさに開口するので、容器本体から固形剤が固形剤進入用開口部を介して、固形剤収容受け皿部の収容空間内に進入するのが阻止されて、例えば、固形剤収容容器を傾けるなどして、固形剤収容受け皿部上に収容（載置）された所定量の固形剤を、計量、取り出しすることができる。
【００３３】
従って、簡単な操作でかつ確実に所定の量の固形剤を計量して取り出すことができ、しかも、複雑な構成でなく、コストも低減可能な固形剤収容容器用キャップおよびこれを用いた固形剤収容容器を提供することができる。
【００３４】
また、本発明の固形剤収容容器用キャップは、前記中栓部材の上板部の下方の固形剤取り出し用開口部の周囲には、固形剤を固形剤進入用開口部に案内する案内部材が付設されていることを特徴とする。
【００３５】
このように構成することによって、蓋部材を中栓部材に閉蓋した状態で、例えば、固形剤収容容器を天地逆さまの状態にすることによって、錠剤などの固形剤が、案内部材に案内されて、固形剤進入用開口部を介して、固形剤収容受け皿部の収容空間内に進入しやすくなり、確実に所定量の固形剤を固形剤収容受け皿部上に収容（載置）することができ、計量、取り出しすることができる。
【００３６】
また、本発明の固形剤収容容器用キャップは、前記案内部材が、固形剤取り出し用開口部の周囲に沿って、固形剤進入用開口部に対する傾斜角度αが漸次増大するテーパー案内面を有することを特徴とする。
【００３７】
このように、錠剤などの固形剤が、固形剤取り出し用開口部の周囲に沿って、固形剤進入用開口部に対する傾斜角度αが漸次増大するテーパー案内面に沿って案内されるので、錠剤などの固形剤が、案内部材のテーパー案内面に案内されて、固形剤進入用開口部を介して、固形剤収容受け皿部の収容空間内に進入しやすくなるとともに、錠剤などの固形剤が、固形剤収容受け皿部上に収容（載置）されやすい姿勢になり、確実に所定量の固形剤を固形剤収容受け皿部上に収容（載置）することができ、計量、取り出しすることができる。
【００３８】
また、本発明の固形剤収容容器用キャップは、前記案内部材が、固形剤取り出し用開口部の周囲に沿って形成された複数の所定間隔離間したリブから構成されていることを特徴とする。
【００３９】
このように構成することによって、錠剤などの固形剤が、複数の所定間隔離間したリブに案内されて、固形剤進入用開口部を介して、固形剤収容受け皿部の収容空間内に進入しやすくなり、確実に所定量の固形剤を固形剤収容受け皿部上に収容（載置）することができ、計量、取り出しすることができる。
【００４０】
また、このような複数のリブにより案内部材を形成するので、軽量化が図れることになる。
【００４１】
また、本発明の固形剤収容容器用キャップは、前記案内部材が、固形剤取り出し用開口部の周囲に沿って形成されたスロープ面を有するスロープ部材から構成されていることを特徴とする。
【００４２】
このように構成することによって、錠剤などの固形剤が、スロープ部材のスロープ面に案内されて、固形剤進入用開口部を介して、固形剤収容受け皿部の収容空間内に進入しやすくなり、確実に所定量の固形剤を固形剤収容受け皿部上に収容（載置）することができ、計量、取り出しすることができる。
【００４３】
また、本発明の固形剤収容容器用キャップは、前記中栓部材の弾性係止片が、固形剤収容受け皿部の中心に対して点対象の位置に２本形成されており、これらの２本の弾性係止片によって、２つの固形剤進入用開口部が形成されていることを特徴とする。
【００４４】
このように構成することによって、錠剤などの固形剤が、２つの少なくとも１つの固形剤進入用開口部を介して、固形剤収容受け皿部の収容空間内に進入しやすくなり、確実に所定量の固形剤を固形剤収容受け皿部上に収容（載置）することができ、計量、取り出しすることができる。
【００４５】
また、本発明の固形剤収容容器用キャップは、前記２つの固形剤進入用開口部の一方に、固形剤進入阻止部材が形成されており、これにより、一方側の固形剤進入用開口部を介してのみ、固形剤が通過可能となるように構成されていることを特徴とする。
【００４６】
このように構成することによって、錠剤などの固形剤が、一方側の固形剤進入用開口部を介してのみ、固形剤収容受け皿部の収容空間内に進入するので、一方側に固形剤収容容器を傾けるだけで、確実に所定量の固形剤を固形剤収容受け皿部上に収容（載置）することができ、計量、取り出しすることができる。
【００４７】
また、本発明の固形剤収容容器用キャップは、
前記固形剤収容受け皿部と、弾性係止片と、固形剤進入用開口部とが一体に形成された受け皿部材を備え、
前記受け皿部材が、前記固形剤取り出し用開口部に脱着自在に装着できるように構成されていることを特徴とする。
【００４８】
このように構成することによって、例えば、錠剤などの固形剤のサイズ、計量すべき量に応じた固形剤収容受け皿部を有する受け皿部材を複数用意することによって、所定の受け皿部材を固形剤取り出し用開口部に脱着自在に装着するのみで、多品種の固形剤に応じて使用できるので、汎用性が向上することになる。
【００４９】
また、本発明の固形剤収容容器用キャップは、前記蓋部材が、中栓部材に対してヒンジを介して開閉可能に装着できるように構成されていることを特徴とする。
【００５０】
このように蓋部材が、中栓部材に対してヒンジを介して開閉可能に装着できるように構成されているので、蓋部材の開閉動作が容易であり、これに応じて前述した固形剤の計量、取り出し操作が容易となる。
【００５１】
また、本発明の固形剤収容容器は、前述のいずれかに記載の固形剤収容容器用キャップが装着された固形剤収容容器である。
【発明の効果】
【００５２】
本発明によれば、蓋部材を中栓部材に閉蓋するだけで、蓋部材の当接片が、中栓部材の固形剤収容受け皿部に当接して下方に押圧して、弾性係止片の上方への付勢力に抗して、固形剤収容受け皿部が下方に移動する。これにより、固形剤進入用開口部が、固形剤が通過可能な大きさに開口することになる。
【００５３】
従って、この状態で、例えば、固形剤収容容器を天地逆さまの状態にすることによって、錠剤などの固形剤が、固形剤進入用開口部を介して、固形剤収容受け皿部の収容空間内に進入することになる。
【００５４】
この状態で、固形剤収容容器を天地を元の状態に戻すことによって、固形剤収容受け皿部上に所定量の固形剤が収容（載置）され、余分に固形剤収容受け皿部の収容空間内に進入した固形剤は、固形剤進入用開口部を介して、容器本体内部に落下することになる。
【００５５】
そして、この状態で、蓋部材を中栓部材から開蓋すれば、蓋部材の当接片と固形剤収容受け皿部との当接が解除されて、弾性係止片の上方への付勢力によって、固形剤収容受け皿部が上方に元の状態に移動する。
【００５６】
これにより、固形剤進入用開口部が、固形剤が通過不能な大きさに開口するので、容器本体から固形剤が固形剤進入用開口部を介して、固形剤収容受け皿部の収容空間内に進入するのが阻止されて、例えば、固形剤収容容器を傾けるなどして、固形剤収容受け皿部上に収容（載置）された所定量の固形剤を、計量、取り出しすることができる。
【００５７】
従って、簡単な操作でかつ確実に所定の量の固形剤を計量して取り出すことができ、しかも、複雑な構成でなく、コストも低減可能な固形剤収容容器用キャップおよびこれを用いた固形剤収容容器を提供することができる。
【図面の簡単な説明】
【００５８】
【図１】図１は、本発明の固形剤収容容器用キャップを備えた固形剤収容容器の蓋部材を閉蓋した状態の正面図である。
【図２】図２は、図１の固形剤収容容器の上面図である。
【図３】図３は、図２のＢ方向の矢視図である。
【図４】図４は、図２のＡ−Ａ線での部分拡大断面図である。
【図５】図５は、本発明の固形剤収容容器用キャップを備えた固形剤収容容器の蓋部材を開蓋した状態の正面図である。
【図６】図６は、図５の固形剤収容容器の上面図である。
【図７】図７は、図６のＢ−Ｂ線での部分拡大断面図である。
【図８】図８は、図７の斜め下方から見た斜視図である。
【図９】図９は、図７の斜め上方から見た斜視図である。
【図１０】図１０は、本発明の固形剤収容容器用キャップを備えた固形剤収容容器の使用状態を説明する部分拡大断面図である。
【図１１】図１１は、本発明の別の実施例の固形剤収容容器用キャップを備えた固形剤収容容器の部分拡大断面図である。
【図１２】図１２は、図１１の固形剤収容容器の上面図である。
【図１３】図１３は、図１１のＢ−Ｂ線での部分拡大断面図である。
【図１４】図１４は、図１３の斜め下方から見た斜視図である。
【図１５】図１５は、図１３の斜め上方から見た斜視図である。
【図１６】図１６は、本発明の別の実施例の固形剤収容容器用キャップを備えた固形剤収容容器の部分拡大断面図である。
【図１７】図１７は、図１６の固形剤収容容器の上面図である。
【図１８】図１８は、図１７のＢ−Ｂ線での部分拡大断面図である。
【図１９】図１９は、図１８の斜め下方から見た斜視図である。
【図２０】図２０は、図１８の斜め上方から見た斜視図である。
【図２１】図２１は、本発明の別の実施例の固形剤収容容器用キャップを備えた固形剤収容容器の部分拡大断面図である。
【図２２】図２２は、図２１の固形剤収容容器の上面図である。
【図２３】図２３は、図２２のＢ−Ｂ線での部分拡大断面図である。
【図２４】図２４は、図２３の斜め下方から見た斜視図である。
【図２５】図２５は、図２３の斜め上方から見た斜視図ある。
【図２６】図２６は、本発明の別の実施例の固形剤収容容器用キャップを備えた固形剤収容容器の部分拡大断面図である。
【図２７】図２７は、図２６の固形剤収容容器の上面図である。
【図２８】図２８は、図２７のＢ−Ｂ線での部分拡大断面図である。
【図２９】図２９は、図２８の斜め下方から見た斜視図である。
【図３０】図３０は、図２８の斜め上方から見た斜視図である。
【図３１】図３１は、本発明の別の実施例の固形剤収容容器用キャップを備えた固形剤収容容器の部分拡大断面図である。
【図３２】図３２は、図３１の固形剤収容容器の上面図である。
【図３３】図３３は、図３２のＢ−Ｂ線での部分拡大断面図である。
【図３４】図３４は、図３３の斜め下方から見た斜視図である。
【図３５】図３５は、図３３の斜め上方から見た斜視図である。
【図３６】図３６は、本発明の別の実施例の固形剤収容容器用キャップを備えた固形剤収容容器の蓋部材を閉蓋した状態の部分拡大断面図である。
【図３７】図３７は、本発明の別の実施例の固形剤収容容器用キャップを備えた固形剤収容容器の蓋部材を開蓋した状態の部分拡大断面図である。
【図３８】図３８は、図３６の固形剤収容容器の部分拡大斜視図である。
【図３９】図３９は、図３７の固形剤収容容器の部分拡大斜視図である。
【図４０】図４０は、本発明の別の実施例の固形剤収容容器用キャップを備えた固形剤収容容器の蓋部材を閉蓋した状態の部分拡大断面図である。
【図４１】図４１は、図４０の部分拡大斜視図である。
【図４２】図４２は、図４０の固形剤収容容器の開蓋状態の上面図である。
【図４３】図４３は、図４０の固形剤収容容器の開蓋状態の部分拡大断面図である。
【図４４】図４４は、図４３の固形剤収容容器の部分拡大斜視図である。
【図４５】図４５は、従来の錠剤収納容器の部分拡大断面図である。
【図４６】図４６は、従来の錠剤収納容器の部分拡大断面図である。
【発明を実施するための形態】
【００５９】
以下、本発明の実施の形態（実施例）を図面に基づいてより詳細に説明する。
【実施例１】
【００６０】
図１は、本発明の固形剤収容容器用キャップを備えた固形剤収容容器の蓋部材を閉蓋した状態の正面図、図２は、図１の固形剤収容容器の上面図、図３は、図２のＢ方向の矢視図、図４は、図２のＡ−Ａ線での部分拡大断面図、図５は、本発明の固形剤収容容器用キャップを備えた固形剤収容容器の蓋部材を開蓋した状態の正面図、図６は、図５の固形剤収容容器の上面図、図７は、図６のＢ−Ｂ線での部分拡大断面図、図８は、図７の斜め下方から見た斜視図、図９は、図７の斜め上方から見た斜視図、図１０は、本発明の固形剤収容容器用キャップを備えた固形剤収容容器の使用状態を説明する部分拡大断面図である。
【００６１】
図において、符号１０は、全体で本発明の固形剤収容容器を示している。
【００６２】
図１〜図５に示したように、固形剤収容容器１０は、固形剤収容容器用キャップ１２を備えており、この固形剤収容容器用キャップ１２は、固形剤Ｔを収容した容器本体１４の口部１６に装着されるものである。
【００６３】
なお、このような固形剤Ｔとしては、例えば、錠剤、カプセル剤などの薬品類、チョコレート、キャンディー、ガムなどの粒状の菓子類などの固形剤などがあるが、何らこれに限定されるものではない。
【００６４】
また、固形剤収容容器用キャップ１２は、容器本体１４の口部１６に装着される中栓部材１８を備えており、この中栓部材１８にヒンジ２０を介して開閉可能に蓋部材２２を連結している。
【００６５】
図４に示したように、中栓部材１８の側壁２４の内周には、雌ネジ２４ａが形成されており、この雌ネジ２４ａを、容器本体１４の口部１６の外周に形成された雄ネジ１６ａに螺合することによって、中栓部材１８、すなわち、固形剤収容容器用キャップ１２を、容器本体１４の口部１６に装着することができるように構成されている。
【００６６】
なお、この実施例では、中栓部材１８の雌ネジ２４ａを、容器本体１４の口部１６の雄ネジ１６ａに螺合することによって、固形剤収容容器用キャップ１２を、容器本体１４の口部１６に装着するように構成したが、いわゆるスナップフィット形式で構成することももちろん可能である。
【００６７】
なお、蓋部材２２の開閉を容易にするために、中栓部材１８の側壁２４の外側には、開閉用凹部２６が形成されているとともに、この開閉用凹部２６に対応して、蓋部材２２の一部が外側に突出する開閉用突出片２８が形成されている。
【００６８】
また、中栓部材１８の側壁２４の内周側には、上方に突出する上部フランジ３０が形成されており、この上部フランジ３０の外側に突設した係止片３２に、蓋部材２２の開閉用突出片２８の内側に形成された係止突設部３４を係止することにより、いわゆるスナップフィットにより、蓋部材２２を中栓部材１８に係脱することができるように構成されている。
【００６９】
さらに、図４、図６〜図９に示したように、中栓部材１８の上板部３６には、固形剤Ｔを所定量ずつ取り出すための固形剤取り出し用開口部３８が形成されている。
【００７０】
そして、この固形剤取り出し用開口部３８の下方に位置し、所定量の固形剤Ｔを収容する収容空間Ｓを有する固形剤収容受け皿部４０が配置されている。この固形剤収容受け皿部４０は、上板部３６の固形剤取り出し用開口部３８から下方に延設され、固形剤収容受け皿部４０の外周縁に連結された弾性係止片４２によって、上板部３６に連結されている。
【００７１】
この弾性係止片４２は、弾性屈曲部４２ａを備えており、これにより、固形剤収容受け皿部４０を上方に付勢するように構成されている。
【００７２】
また、この実施例では、図６、図８〜図９に示したように、弾性係止片４２は、固形剤収容受け皿部４０の中心に対して点対象の位置に２本形成されており、これらの２本の弾性係止片４２によって、固形剤収容受け皿部４０と中栓部材１８の上板部３６との間に、２つの固形剤進入用開口部４４が形成されている。
【００７３】
さらに、これらの弾性係止片４２が形成された位置に、固形剤収容受け皿部４０から上方に突設した突設片４６が形成されている。
【００７４】
一方、蓋部材２２には、蓋部材２２の上板部３５から下方に延設され、中栓部材１８の突設片４６に対応した位置に、この実施例では、環状のリブ形状の当接片４８が形成されている。
【００７５】
また、図４に示したように、この当接片４８の外周には、嵌合用リブ５０が形成されており、蓋部材２２を中栓部材１８に閉蓋した際に、嵌合用リブ５０が、中栓部材１８の上板部３６の固形剤進入用開口部４４に嵌合するように構成されている。
【００７６】
さらに、この当接片４８の内周には、環状の固形剤進入阻止リブ５２が形成されており、この固形剤進入阻止リブ５２によって、余分な固形剤Ｔが、固形剤進入用開口部４４を介して、固形剤収容受け皿部４０の収容空間Ｓに進入しないように構成されている。
【００７７】
なお、後述するように、この固形剤進入阻止リブ５２には、固形剤収容容器１０を天地逆さまの状態にした際に、いったん蓋部材２２の固形剤進入阻止リブ５２上に載置する効果もある。
【００７８】
また、図４、図７〜図８に示したように、中栓部材１８の上板部３６の下方の固形剤取り出し用開口部３８の周囲には、固形剤Ｔを固形剤進入用開口部４４に案内する案内部材５４が付設されている
すなわち、案内部材５４が、固形剤取り出し用開口部３８の周囲に沿って形成された複数の所定間隔離間したリブ５６から構成されている。
【００７９】
この場合、複数のリブ５６は、固形剤取り出し用開口部３８の周囲に沿って、固形剤進入用開口部４４に対する傾斜角度αが漸次増大するテーパー案内面５８を有するように形成されている。
【００８０】
すなわち、この実施例では、それぞれ１つの固形剤進入用開口部４４に対して、５つのリブ５６ａ〜５６ｅが形成されており、リブ５６ａから５６ｅにかけて、傾斜角度αが漸次増大するテーパー案内面５８ａ〜５８ｅを有するように形成されている。
【００８１】
このように、固形剤進入用開口部４４の周囲に沿って、固形剤進入用開口部４４に対する傾斜角度αが漸次増大するテーパー案内面５８ａ〜５８ｅが形成されているので、図４の矢印で示したように、錠剤などの固形剤Ｔが、案内部材５４のテーパー案内面５８ａ〜５８ｅによって順番に案内されることになる。
【００８２】
これにより、固形剤進入用開口部４４を介して、錠剤などの固形剤Ｔが、固形剤収容受け皿部４０の収容空間Ｓ内に進入しやすくなるとともに、錠剤などの固形剤Ｔが、固形剤収容受け皿部４０上に収容（載置）されやすい姿勢（順にテーパー案内面５８ａ〜５８ｅによって姿勢が変化して）になり、確実に所定量の（この実施例では、単数の）固形剤Ｔを固形剤収容受け皿部４０上に収容（載置）することができ、計量、取り出しすることができる。
【００８３】
なお、固形剤収容容器用キャップ１２としては、合成樹脂成形により形成すればよく、弾性係止片４２の弾性力を考慮すれば、例えば、ポリプロピレンなどを使用するのが好適であるが、容器本体１４内に収容した固形剤Ｔの種類などに応じて、これ以外にも使用でき、特に限定されるものではい。
【００８４】
このように構成される本発明の固形剤収容容器用キャップ１２を備えた固形剤収容容器１０の使用方法について、以下に説明する。
【００８５】
先ず、予め、容器本体１４に所定の量の固形剤Ｔを充填しておき、中栓部材１８の雌ネジ２４ａを、容器本体１４の口部１６の雄ネジ１６ａに螺合することによって、固形剤収容容器用キャップ１２を、容器本体１４の口部１６に装着しておく。
【００８６】
そして、図４に示したように、蓋部材２２を中栓部材１８に閉蓋した状態においては、蓋部材２２の当接片４８が、中栓部材１８の突設片４６に当接して下方に押圧して、弾性係止片４２の上方への付勢力に抗して、固形剤収容受け皿部４０を下方に移動する。これにより、固形剤進入用開口部４４が、固形剤が通過可能な大きさに開口することになる。
【００８７】
従って、この状態で、図１０の矢印に示したように、例えば、固形剤収容容器１０を天地逆さまの状態にすることによって、錠剤などの固形剤Ｔが、固形剤進入用開口部４４を介して、固形剤収容受け皿部４０の収容空間Ｓ内に進入することになる。
【００８８】
この際、この実施例では、案内部材５４として、それぞれ１つの固形剤進入用開口部４４に対して、５つのリブ５６ａ〜５６ｅが形成されており、リブ５６ａから５６ｅにかけて、傾斜角度αが漸次増大するテーパー案内面５８ａ〜５８ｅを有するように形成されている。
【００８９】
これにより、図４の点線および矢印で示したように、ならびに、図１０の矢印で示したように、固形剤進入用開口部４４の周囲に沿って、固形剤進入用開口部４４に対する傾斜角度αが漸次増大するテーパー案内面５８ａ〜５８ｅが形成されているので、図４の矢印で示したように、錠剤などの固形剤Ｔが、案内部材５４のテーパー案内面５８ａ〜５８ｅによって順番に案内され、いったん蓋部材２２の固形剤進入阻止リブ５２上に載置されることになる。
【００９０】
これにより、固形剤進入用開口部４４を介して、錠剤などの固形剤Ｔが、固形剤収容受け皿部４０の収容空間Ｓ内に進入しやすくなるとともに、錠剤などの固形剤Ｔが、固形剤収容受け皿部４０上に収容（載置）されやすい姿勢（順にテーパー案内面５８ａ〜５８ｅによって姿勢が変化して）になり、確実に所定量の（この実施例では、単数の）固形剤Ｔを固形剤収容受け皿部４０上に収容（載置）することができ、計量、取り出しすることができる。
【００９１】
この状態で、固形剤収容容器１０を、図４に示したように、再び天地を元の状態に戻すことによって、蓋部材２２の固形剤進入阻止リブ５２上に載置された固形剤Ｔが落下して、固形剤収容受け皿部４０上に所定量の固形剤Ｔが収容（載置）され、余分に固形剤収容受け皿部４０の収容空間内に進入した固形剤Ｔは、固形剤進入用開口部４４を介して、容器本体２の内部に落下することになる。
【００９２】
そして、この状態で、図７に示したように、蓋部材２２を中栓部材１８から開蓋すれば、蓋部材２２の当接片４８と中栓部材１８の突設片４６との当接が解除されて、弾性係止片４２の上方への付勢力によって、固形剤収容受け皿部４０が上方に元の状態に移動する。
【００９３】
これにより、固形剤進入用開口部４４が、固形剤Ｔが通過不能な大きさに開口するので、容器本体１４から固形剤Ｔが固形剤進入用開口部４４を介して、固形剤収容受け皿部４０の収容空間Ｓ内に進入するのが阻止されて、図示しないが、例えば、固形剤収容容器１０を傾けるなどして、固形剤収容受け皿部４０上に収容（載置）された所定量の固形剤Ｔを、計量、取り出しすることができる。
【００９４】
従って、簡単な操作でかつ確実に所定の量の固形剤Ｔを計量して取り出すことができ、しかも、複雑な構成でなく、コストも低減可能な固形剤収容容器用キャップ１２およびこれを用いた固形剤収容容器１０を提供することができる。
【００９５】
なお、この実施例では、蓋部材２２の当接片４８と中栓部材１８の突設片４６とを当接するように構成したが、図示しないが、中栓部材１８の突設片４６を省略するとともに、蓋部材２２の当接片４８を、環状ではなく、２つの棒状のものにしてさらに下方に延設して、蓋部材２２を中栓部材１８に閉蓋した状態において、蓋部材２２の当接片４８を、直接、固形剤収容受け皿部４０の縁部に当接して下方に押圧するように構成することも可能である。
【実施例２】
【００９６】
図１１は、本発明の別の実施例の固形剤収容容器用キャップを備えた固形剤収容容器の部分拡大断面図、図１２は、図１１の固形剤収容容器の上面図、図１３は、図１１のＢ−Ｂ線での部分拡大断面図、図１４は、図１３の斜め下方から見た斜視図、図１５は、図１３の斜め上方から見た斜視図である。
【００９７】
この実施例の固形剤収容容器用キャップ１２は、図１〜図１０に示した実施例１の固形剤収容容器用キャップ１２と基本的には同様な構成であり、同一の構成部材には、同一の参照番号を付して、その詳細な説明を省略する。
【００９８】
上記の実施例１の固形剤収容容器用キャップ１２では、固形剤Ｔを固形剤進入用開口部４４に案内する案内部材５４として、複数の所定間隔離間したリブ５６から構成したが、この実施例の固形剤収容容器用キャップ１２では、案内部材５４として、固形剤取り出し用開口部３８の周囲に沿って形成されたスロープ面６２を有するスロープ部材６０から構成されている。このスロープ面６２は、傾斜角度αが漸次増大するスロープ面６２となっている。
【００９９】
このように構成することによって、錠剤などの固形剤Ｔが、スロープ部材６０のスロープ面６２に案内されて、固形剤進入用開口部４４を介して、固形剤収容受け皿部４０の収容空間Ｓ内に進入しやすくなり、確実に所定量の固形剤Ｔを固形剤収容受け皿部４０上に収容（載置）することができ、計量、取り出しすることができる。
【実施例３】
【０１００】
図１６は、本発明の別の実施例の固形剤収容容器用キャップを備えた固形剤収容容器の部分拡大断面図、図１７は、図１６の固形剤収容容器の上面図、図１８は、図１７のＢ−Ｂ線での部分拡大断面図、図１９は、図１８の斜め下方から見た斜視図、図２０は、図１８の斜め上方から見た斜視図である。
【０１０１】
この実施例の固形剤収容容器用キャップ１２は、図１〜図１０に示した実施例１の固形剤収容容器用キャップ１２と基本的には同様な構成であり、同一の構成部材には、同一の参照番号を付して、その詳細な説明を省略する。
【０１０２】
上記の実施例１の固形剤収容容器用キャップ１２では、固形剤Ｔを固形剤進入用開口部４４に案内する案内部材５４として、複数の所定間隔離間したリブ５６から構成したが、この実施例の固形剤収容容器用キャップ１２では、案内部材５４を省略している。
【０１０３】
その代わりに、錠剤などの固形剤Ｔが、固形剤進入用開口部４４を介して、固形剤収容受け皿部４０の収容空間Ｓ内に進入しやすくするために、蓋部材２２に形成した複数の環状の固形剤進入阻止リブ５２の先端を、固形剤Ｔの形状に合致するように切断している。
【０１０４】
このように構成することによっても、錠剤などの固形剤Ｔが、固形剤進入用開口部４４を介して、固形剤収容受け皿部４０の収容空間Ｓ内に進入しやすくなり、確実に所定量の固形剤Ｔを固形剤収容受け皿部４０上に収容（載置）することができ、計量、取り出しすることができる。
【実施例４】
【０１０５】
図２１は、本発明の別の実施例の固形剤収容容器用キャップを備えた固形剤収容容器の部分拡大断面図、図２２は、図２１の固形剤収容容器の上面図、図２３は、図２２のＢ−Ｂ線での部分拡大断面図、図２４は、図２３の斜め下方から見た斜視図、図２５は、図２３の斜め上方から見た斜視図である。
【０１０６】
この実施例の固形剤収容容器用キャップ１２は、図１〜図１０に示した実施例１の固形剤収容容器用キャップ１２と基本的には同様な構成であり、同一の構成部材には、同一の参照番号を付して、その詳細な説明を省略する。
【０１０７】
上記の実施例１の固形剤収容容器用キャップ１２では、２本の弾性係止片４２によって、固形剤収容受け皿部４０と中栓部材１８の上板部３６との間に、２つの固形剤進入用開口部４４が形成されている。
【０１０８】
これに対して、この実施例の固形剤収容容器用キャップ１２では、２つの固形剤進入用開口部４４の一方に、壁形状の固形剤進入阻止部材６４が形成されており、これにより、一方側の固形剤進入用開口部４４を介してのみ、固形剤Ｔが通過可能となるように構成されている。
【０１０９】
このように構成することによって、錠剤などの固形剤Ｔが、一方側の固形剤進入用開口部４４を介してのみ、固形剤収容受け皿部４０の収容空間Ｓ内に進入するので、一方側に固形剤収容容器１０を傾けるだけで、確実に所定量の固形剤Ｔを固形剤収容受け皿部４０上に収容（載置）することができ、計量、取り出しすることができる。
【実施例５】
【０１１０】
図２６は、本発明の別の実施例の固形剤収容容器用キャップを備えた固形剤収容容器の部分拡大断面図、図２７は、図２６の固形剤収容容器の上面図、図２８は、図２７のＢ−Ｂ線での部分拡大断面図、図２９は、図２８の斜め下方から見た斜視図、図３０は、図２８の斜め上方から見た斜視図である。
【０１１１】
この実施例の固形剤収容容器用キャップ１２は、図１〜図１０に示した実施例１の固形剤収容容器用キャップ１２と基本的には同様な構成であり、同一の構成部材には、同一の参照番号を付して、その詳細な説明を省略する。
【０１１２】
上記の実施例１の固形剤収容容器用キャップ１２では、２本の弾性係止片４２によって、固形剤収容受け皿部４０と中栓部材１８の上板部３６との間に、２つの固形剤進入用開口部４４が形成されている。
【０１１３】
これに対して、この実施例の固形剤収容容器用キャップ１２では、２つの固形剤進入用開口部４４の一方に、複数の一定間隔離間したリブ６８からなる固形剤進入阻止部材７０が形成されており、これにより、一方側の固形剤進入用開口部４４を介してのみ、固形剤Ｔが通過可能となるように構成されている。これにより、上記の実施例４の壁形状の固形剤進入阻止部材６４に比較して軽量化が図れ、コストを低減することができる。
【０１１４】
このように構成することによって、錠剤などの固形剤Ｔが、一方側の固形剤進入用開口部４４を介してのみ、固形剤収容受け皿部４０の収容空間Ｓ内に進入するので、一方側に固形剤収容容器１０を傾けるだけで、確実に所定量の固形剤Ｔを固形剤収容受け皿部４０上に収容（載置）することができ、計量、取り出しすることができる。
【実施例６】
【０１１５】
図３１は、本発明の別の実施例の固形剤収容容器用キャップを備えた固形剤収容容器の部分拡大断面図、図３２は、図３１の固形剤収容容器の上面図、図３３は、図３２のＢ−Ｂ線での部分拡大断面図、図３４は、図３３の斜め下方から見た斜視図、図３５は、図３３の斜め上方から見た斜視図である。
【０１１６】
この実施例の固形剤収容容器用キャップ１２は、図１〜図１０に示した実施例１の固形剤収容容器用キャップ１２と基本的には同様な構成であり、同一の構成部材には、同一の参照番号を付して、その詳細な説明を省略する。
【０１１７】
上記の実施例１の固形剤収容容器用キャップ１２では、固形剤収容受け皿部４０を単数の錠剤などの固形剤Ｔを収容（載置）するように形成したが、この実施例の固形剤収容容器用キャップ１２では、固形剤収容受け皿部４０を、略円筒形状として、複数の固形剤Ｔを固形剤Ｔを（この実施例では、２つの固形剤を）、縦方向に固形剤収容受け皿部４０上に収容（載置）することができ、計量、取り出しすることができるように構成されている。
【０１１８】
なお、この場合、錠剤などの固形剤Ｔが、固形剤進入用開口部４４を介して、固形剤収容受け皿部４０の収容空間Ｓ内に進入しやすくするために、蓋部材２２に形成した複数の環状の固形剤進入阻止リブ５２を省略している。
【実施例７】
【０１１９】
図３６は、本発明の別の実施例の固形剤収容容器用キャップを備えた固形剤収容容器の蓋部材を閉蓋した状態の部分拡大断面図、図３７は、本発明の別の実施例の固形剤収容容器用キャップを備えた固形剤収容容器の蓋部材を開蓋した状態の部分拡大断面図、図３８は、図３６の固形剤収容容器の部分拡大斜視図、図３９は、図３７の固形剤収容容器の部分拡大斜視図である。
【０１２０】
この実施例の固形剤収容容器用キャップ１２は、図１〜図１０に示した実施例１の固形剤収容容器用キャップ１２と基本的には同様な構成であり、同一の構成部材には、同一の参照番号を付して、その詳細な説明を省略する。
【０１２１】
上記の実施例１の固形剤収容容器用キャップ１２では、中栓部材１８にヒンジ２０を介して開閉可能に蓋部材２２を連結したが、この実施例では、蓋部材２２を別体として、蓋部材２２の側壁２２ａの内周に雌ネジ２２ｂを形成するとともに、中栓部材１８の側壁２４の外周側に雄ネジ２４ｂを形成している。
【０１２２】
これにより、蓋部材２２の側壁２２ａの内周に形成した雌ネジ２２ｂを、中栓部材１８の側壁２４の外周側に形成した雄ネジ２４ｂに螺合することによって、蓋部材２２を中栓部材１８に装着できるように構成されている。
【０１２３】
また、容器本体１４の口部１６の外周に、突条部１６ｂを形成し、これに対応して、中栓部材１８の側壁２４の内周に嵌合用凹部２４ｃを形成して、容器本体１４の突条部１６ｂを、中栓部材１８の嵌合用凹部２４ｃに嵌合することによって、中栓部材１８を、容器本体１４の口部１６に、いわゆる、スナップフィット形式で装着できるように構成している。これにより、中栓部材１８の装着が容易となっている。
【実施例８】
【０１２４】
図４０は、本発明の別の実施例の固形剤収容容器用キャップを備えた固形剤収容容器の蓋部材を閉蓋した状態の部分拡大断面図、図４１は、図４０の部分拡大斜視図、図４２は、図４０の固形剤収容容器の開蓋状態の上面図、図４３は、図４０の固形剤収容容器の開蓋状態の部分拡大断面図、図４４は、図４３の固形剤収容容器の部分拡大斜視図である。
【０１２５】
この実施例の固形剤収容容器用キャップ１２は、図１〜図１０に示した実施例１の固形剤収容容器用キャップ１２と基本的には同様な構成であり、同一の構成部材には、同一の参照番号を付して、その詳細な説明を省略する。
【０１２６】
この実施例の固形剤収容容器用キャップ１２では、固形剤収容受け皿部４０と、弾性係止片４２と、固形剤進入用開口部４４と、突設片４６が一体に形成された別体の受け皿部材７２を備えている。そして、受け皿部材７２の外周には、係止用フランジ７４が形成されている。
【０１２７】
一方、中栓部材１８の上板部３６には、固形剤取り出し用開口部３８の周囲に、受け皿部材７２の係止用フランジ７４を受ける嵌合用凹部７６が形成されている。
【０１２８】
これにより、図４３〜図４４の矢印に示したように、受け皿部材７２の係止用フランジ７４を、中栓部材１８の上板部３６の嵌合用凹部７６に嵌合することによって、受け皿部材７２を、固形剤取り出し用開口部３８に脱着自在に装着できるように構成されている。
【０１２９】
このように構成することによって、例えば、錠剤などの固形剤Ｔのサイズ、計量すべき量に応じた固形剤収容受け皿部４０を有する受け皿部材７２を複数用意することによって、所定の受け皿部材７２を固形剤取り出し用開口部３８に脱着自在に装着するのみで、多品種の固形剤Ｔに応じて使用できるので、汎用性が向上することになる。
【０１３０】
以上、本発明の好ましい実施の態様を説明してきたが、本発明はこれに限定されることはなく、例えば、上記実施例６では、固形剤収容受け皿部４０を、略円筒形状として、複数の固形剤Ｔを固形剤Ｔを（この実施例では、２つの固形剤を）、縦方向に固形剤収容受け皿部４０上に収容（載置）するようにしたが、図示しないが、固形剤収容受け皿部４０に複数の固形剤Ｔに応じた凹部を形成しておき、この凹部内に固形剤Ｔを横方向に収容（載置）するようにすることも可能である。
【０１３１】
また、上記の実施例では、図６に示したように、固形剤取り出し用開口部３８、固形剤収容受け皿部４０を、中栓部材１８の上板部３６において、開閉用突出片２８側に偏った位置に配置したが、中栓部材１８の上板部３６の中央部分、ならびに別方向に偏った位置に配置するなどその位置は適宜変更可能である。
【０１３２】
さらに、上記の実施例では、略円筒形状の容器本体１４としたが、角型筒形状の容器などその他の形状の容器本体１４とすることができ、これに応じて、本発明の固形剤収容容器用キャップ１２の形状を適宜変更することができるなど本発明の目的を逸脱しない範囲で種々の変更が可能である。
【産業上の利用可能性】
【０１３３】
本発明は、固形剤を収容した容器において、容器内に収容した固形剤を所定量ずつ取り出すための固形剤収容容器用キャップおよびこれを用いた固形剤収容容器に適用することができる。
【符号の説明】
【０１３４】
１０   固形剤収容容器
１２   固形剤収容容器用キャップ
１４   容器本体
１６   口部
１６ａ 雄ネジ
１８   中栓部材
２０   ヒンジ
２２   蓋部材
２２ａ 側壁
２２ｂ 雌ネジ
２４   側壁
２４ａ 雌ネジ
２４ｂ 雄ネジ
２６   開閉用凹部
２８   開閉用突出片
３０   上部フランジ
３２   係止片
３４   係止突設部
３５   上板部
３６   上板部
３８   固形剤取り出し用開口部
４０   固形剤収容受け皿部
４２   弾性係止片
４２ａ 弾性屈曲部
４４   固形剤進入用開口部
４６   突設片
４８   当接片
５０   嵌合用リブ
５２   固形剤進入阻止リブ
５４   案内部材
５６ａ〜５６ｅ       リブ
５８ａ〜５８ｅ       テーパー案内面
５８   テーパー案内面
６０   スロープ部材
６２   スロープ面
６４   固形剤進入阻止部材
６８   リブ
７０   固形剤進入阻止部材
７２   受け皿部材材
７４   係止用フランジ
７６   嵌合用凹部
１００ 錠剤収納容器
１０２ 容器本体
１０４ 口部
１０６ キャップ本体
１０８ 計量皿
１１０ 開口部
１１２ 邪魔板
１１４ 蓋部材
１１６ 係止棒
２００ 錠剤収納容器
２０２ 容器本体
２０４ 口部
２０６ 保持筒
２０８ 係合フランジ
２１０ 係合突条
２１２ 昇降筒
２１４ 係合フランジ
２１６ 底面
２１８ 凹部
２２０ 開口部
２２２ 蓋部材
２２４ 突設部
２２６ 係合突条
２２８ 内周壁
２３０ 突設部
Ａ     固形剤
Ｓ     収容空間
α     傾斜角度
【図１】
2013091521.tif 000003
【図２】
2013091521.tif 000004
【図３】
2013091521.tif 000005
【図４】
2013091521.tif 000006
【図５】
2013091521.tif 000007
【図６】
2013091521.tif 000008
【図７】
2013091521.tif 000009
【図８】
2013091521.tif 000010
【図９】
2013091521.tif 000011
【図１０】
2013091521.tif 000012
【図１１】
2013091521.tif 000013
【図１２】
2013091521.tif 000014
【図１３】
2013091521.tif 000015
【図１４】
2013091521.tif 000016
【図１５】
2013091521.tif 000017
【図１６】
2013091521.tif 000018
【図１７】
2013091521.tif 000019
【図１８】
2013091521.tif 000020
【図１９】
2013091521.tif 000021
【図２０】
2013091521.tif 000022
【図２１】
2013091521.tif 000023
【図２２】
2013091521.tif 000024
【図２３】
2013091521.tif 000025
【図２４】
2013091521.tif 000026
【図２５】
2013091521.tif 000027
【図２６】
2013091521.tif 000028
【図２７】
2013091521.tif 000029
【図２８】
2013091521.tif 000030
【図２９】
2013091521.tif 000031
【図３０】
2013091521.tif 000032
【図３１】
2013091521.tif 000033
【図３２】
2013091521.tif 000034
【図３３】
2013091521.tif 000035
【図３４】
2013091521.tif 000036
【図３５】
2013091521.tif 000037
【図３６】
2013091521.tif 000038
【図３７】
2013091521.tif 000039
【図３８】
2013091521.tif 000040
【図３９】
2013091521.tif 000041
【図４０】
2013091521.tif 000042
【図４１】
2013091521.tif 000043
【図４２】
2013091521.tif 000044
【図４３】
2013091521.tif 000045
【図４４】
2013091521.tif 000046
【図４５】
2013091521.tif 000047
【図４６】
2013091521.tif 000048